(57)【要約】  第１のネットワークモジュールが第２のネットワークモジュールの「役目を引き継ぐ」ことを可能にすることを容易にする機構及び方法が本明細書に記載される。例えば、アクセスルータは、無線端末に関して地域モビリティエージェントとして機能するように構成されることができる。次に無線端末は、地域モビリティエージェントとして機能する異なるアクセスルータを識別し、そのような要求をモビリティエージェントに送信することができる。モビリティエージェントは、モビリティエージェントとして機能しているアクセスルータとのトンネルを作成することができ、このアクセスルータは、追加メッセージを作成し、このメッセージを無線端末に関連づけられた他のアクセスルータに送信することができる。追加メッセージは、特定のアクセスルータが地域モビリティエージェントとして機能していることを、これらのアクセスルータに通知して、アクセスルータ間にトンネルを作成することを助ける。
2010517378.tif 000002
【特許請求の範囲】
【請求項１】
第１のネットワークモジュールにおいて行われる方法であって、
前記第１のネットワークモジュールが無線端末に関してモビリティエージェントとして機能するという指示を前記無線端末から受信することと、
前記第１のネットワークモジュールが前記無線端末に関して前記モビリティエージェントとして機能することを第２のネットワークモジュールに通知することと、
を具備する方法。
【請求項２】
前記ネットワークモジュールは、モビリティエージェントである請求項１に記載の方法。
【請求項３】
前記ネットワークモジュールは、フォーリンエージェントである請求項１に記載の方法。
【請求項４】
前記ネットワークモジュールは、アクセスルータである請求項１に記載の方法。
【請求項５】
前記無線端末に向けられたトラフィックが前記第２のネットワークモジュールに送られることになることを、前記第２のネットワークモジュールに通知することをさらに具備する請求項１に記載の方法。
【請求項６】
前記第１のネットワークモジュール及び第３のネットワークモジュール間のトンネルが削除されていることを、前記第３のネットワークモジュールに通知することをさらに具備する請求項１に記載の方法。
【請求項７】
前記第１のネットワークモジュールが前記無線端末に関して前記モビリティエージェントとして機能することを、前記第２のネットワークモジュールに通知することは、モバイルＩＰに従って行われる請求項１に記載の方法。
【請求項８】
前記第２のネットワークモジュールは、前記無線端末に関して前記モビリティエージェントとしてこれまで機能していた請求項１に記載の方法。
【請求項９】
前記第１のネットワークモジュールにおいてモビリティエージェントから、前記無線端末に向けられたトラフィックを受信することと、
前記無線端末に向けられた伝送のために、前記トラフィックのサブセットを異なるネットワークモジュールへ選択的に中継することと、をさらに具備する請求項１に記載の方法。
【請求項１０】
第１のモビリティエージェントが無線端末に関して主モビリティエージェントとして機能するという指示を受信するための命令と、前記無線端末に関して前記主モビリティエージェントとしてこれまで機能していた第２のモビリティエージェントへ、前記第１のモビリティエージェントがこれからは前記主モビリティエージェントとして機能することになることを通知するための命令と、を備えるメモリと、
前記命令を実行するように構成されるプロセッサと、
を具備する通信装置。
【請求項１１】
前記第１及び第２のモビリティエージェントは、地域モビリティエージェントである請求項１０に記載の通信装置。
【請求項１２】
前記メモリは、前記第１のモビリティエージェントがこれからは前記主モビリティエージェントとして機能することになることを、モバイルＩＰによって前記第２のモビリティエージェントに通知するための命令をさらに備える請求項１０に記載の通信装置。
【請求項１３】
前記メモリは、前記第１及び第２のモビリティエージェント間のトンネルが無効になったことを、前記第２のモビリティエージェントに指示するための命令をさらに備える請求項１０に記載の通信装置。
【請求項１４】
請求項１０に記載の通信装置を具備する前記第１のモビリティエージェント。
【請求項１５】
前記第１のモビリティエージェントは、アクセスルータである請求項１０に記載の通信装置。
【請求項１６】
前記メモリは、地域モビリティエージェントとして機能するように前記アクセスルータを構成するための命令をさらに備える請求項１５に記載の通信装置。
【請求項１７】
第１のネットワークモジュールが無線端末に関して地域モビリティエージェントとして機能するという指示を、前記無線端末から受信する手段と、
前記第１のネットワークモジュールが前記無線端末に関して前記地域モビリティエージェントとして機能することを、第２のネットワークモジュールに通知する手段と、
を具備する通信装置。
【請求項１８】
前記第１及び第２のネットワークモジュール間のトンネルが削除されていることを、前記第２のネットワークモジュールに通知する手段をさらに具備する請求項１７に記載の通信装置。
【請求項１９】
前記無線端末に向けられたトラフィックをモビリティエージェントから受信する手段と、
前記無線端末への伝送のために前記トラフィックのサブセットを他のネットワークモジュールに中継する手段と、をさらに具備する請求項１７に記載の通信装置。
【請求項２０】
当該通信装置は、アクセスルータである請求項１７に記載の通信装置。
【請求項２１】
前記第１のネットワークモジュールは、アクセス端末である請求項１７に記載の通信装置。
【請求項２２】
第１のモビリティエージェントが無線端末に関して主モビリティエージェントとして機能するという指示を受信するためのコンピュータ実行可能命令と、
前記無線端末に関して前記主モビリティエージェントとしてこれまで機能していた第２のモビリティエージェントへ、前記第１のモビリティエージェントがこれからは前記主モビリティエージェントとして機能することになることを通知するためのコンピュータ実行可能命令と、
を具備するコンピュータ読取可能媒体。
【請求項２３】
請求項２２に記載のコンピュータ読取可能媒体を具備する基地局。
【請求項２４】
前記指示は、モバイルＩＰによって受信される請求項２２に記載のコンピュータ読取可能媒体。
【請求項２５】
前記無線端末に向けられたトラフィックを受信する手段のためのコンピュータ実行可能命令と、
前記無線端末への伝送のために１以上のアクセスルータに前記トラフィックのサブセットを選択的に広める手段のためのコンピュータ実行可能命令と、をさらに具備する請求項２２に記載のコンピュータ読取可能媒体。
【請求項２６】
前記無線端末に前記データのサブセットを送信するための手段をさらに具備する請求項２５に記載のコンピュータ読取可能媒体。
【請求項２７】
第１のアクセスルータが無線端末に関して地域モビリティエージェントとして機能することになることを決定するための命令と、
地域モビリティエージェントとしてこれまで機能していた第２のアクセスルータへ、前記第１のアクセスルータが前記地域モビリティエージェントとして機能することになることを通知するための命令と、
を実行するように構成されるプロセッサ。
【請求項２８】
前記無線端末に向けられたトラフィックをモビリティエージェントから受信するための命令と、
前記トラフィックのサブセットを他のアクセスルータに中継するための命令と、をさらに実行するように構成される請求項２７に記載のプロセッサ。
【請求項２９】
無線端末において行われる方法であって、
地域モビリティエージェントとして機能するアクセスルータを識別することと、
前記アクセスルータのアイデンティティを、前記無線端末に関連づけられたモビリティエージェントに示すことと、
を具備する方法。
【請求項３０】
前記無線端末がリンクを所望している１以上の異なるアクセスルータを識別することと、
前記地域モビリティエージェントとして機能する前記アクセスルータに前記アイデンティティを送信することと、
をさらに具備する請求項２９に記載の方法。
【請求項３１】
前記地域モビリティエージェントとして機能している前記アクセスルータからトラフィックを受信することをさらに備える請求項２９に記載の方法。
【請求項３２】
前記アクセスルータは、モバイルＩＰに従ったメッセージによって識別される請求項２９に記載の方法。
【請求項３３】
前記地域モビリティエージェントとして機能する前記アクセスルータを識別することに関連して、複数のアクセスルータに関連する信号強度を測定することをさらに備える、請求項２９に記載の方法。
【請求項３４】
請求項２９に記載の方法を実行するように構成される無線端末。
【請求項３５】
自装置に関して地域モビリティエージェントとして望ましく機能するアクセスルータを決定するための命令と、物理リンクが所望される１以上の他のアクセスルータを決定するための命令と、前記アクセスルータのアイデンティティ及び前記１以上の他のアクセスルータのアイデンティティをモビリティエージェントに送信するための命令と、を備えるメモリと、
前記メモリ内の前記命令を実行するように構成されたプロセッサと、
を具備する無線通信装置。
【請求項３６】
当該無線装置は、無線端末である請求項３５に記載の無線通信装置。
【請求項３７】
前記メモリは、当該装置に関して前記地域モビリティエージェントとして望ましく機能する前記アクセスルータを決定するために、複数のアクセスルータに関して測定を実行するための命令をさらに備える請求項３５に記載の無線通信装置。
【請求項３８】
前記メモリは、モバイルＩＰによって前記モビリティエージェントと通信するための命令を備える請求項３５に記載の無線通信装置。
【請求項３９】
無線端末に関して地域モビリティエージェントとして望ましく機能するアクセスルータを前記無線端末において識別するためのコンピュータ実行可能命令と、
前記無線端末に関して前記地域モビリティエージェントとして望ましく機能する前記アクセスルータのアイデンティティを、モビリティエージェントに通知するためのコンピュータ実行可能命令と、
を具備するコンピュータ読取可能媒体。
【請求項４０】
前記無線端末がリンクを所望するアクセスルータを識別するためのコンピュータ実行可能命令と、
前記無線端末が前記リンクを所望する前記アクセスルータのアイデンティティを前記モビリティエージェントに送信するためのコンピュータ実行可能命令と、
をさらに具備する請求項３９に記載のコンピュータ読取可能媒体。
【請求項４１】
前記無線端末に関して前記地域モビリティエージェントとして望ましく機能する前記アクセスルータを識別することに関連して、信号強度測定を行うためのコンピュータ実行可能命令をさらに具備する請求項４０に記載のコンピュータ読取可能媒体。
【請求項４２】
アクセスルータが地域モビリティエージェントとして機能することを決定するための手段と、
前記アクセスルータが前記地域モビリティエージェントとして機能することをモビリティエージェントに通知するための手段と、
を具備する無線通信装置。
【請求項４３】
前記アクセスルータが前記地域モビリティエージェントとして機能することを、モバイルＩＰによって前記モビリティエージェントに通知するための手段をさらに具備する請求項４２に記載の無線通信装置。
【請求項４４】
当該無線通信装置が物理リンクを所望している少なくとも１つのアクセスルータを識別するための手段と、
前記少なくとも１つのアクセスルータのアイデンティティを前記モビリティエージェントに通知するための手段と、
をさらに具備する請求項４２に記載の無線通信装置。
【請求項４５】
無線端末に関して地域モビリティエージェントとして機能するアクセスルータを識別し、
前記アクセスルータのアイデンティティを前記無線端末に関連づけられたモビリティエージェントに示すための命令を実行するように構成されたプロセッサ。
【発明の詳細な説明】
【技術分野】
【０００１】
本発明は、一般に無線通信に係り、特に無線通信システムのための柔軟な（flexible）通信方式に関する。
【背景技術】
【０００２】
無線ネットワークシステムは、世界中で他者と通信するための一般的な手段となっている。セルラ電話機、携帯情報端末等の無線通信デバイスは、消費者ニーズを満たすため、及び携帯性と利便性とを改善するために、より小型且つよりパワフルになっている。消費者は、これらのデバイスに依存するようになっており、信頼度の高いサービス、サービスエリア（areas of coverage）の拡大、サービスの追加（例えば、ウェブ閲覧機能）及びこのようなデバイスのサイズとコストが引き続き低減されることを求めている。
【０００３】
典型的な無線通信ネットワーク（例えば、周波数分割技術、時分割技術及び符号分割技術を使用する）は、加入者にサービスエリアを提供する１以上の基地局と、サービスエリア内でデータを送受信することができるモバイル（例えば、無線）デバイスとを含む。典型的な基地局は、ブロードキャスト、マルチキャスト及び／又はユニキャストサービスのために複数のデバイスに複数のデータストリームを同時に送信することができる。ここで、データストリームは、ユーザデバイスにとって独立した受信の関心がありうるデータのストリームである。この基地局のサービスエリア内のユーザデバイスは、複合ストリームによって搬送される１以上又は全てのデータストリームを受信することに関心がありうる。同様に、ユーザデバイスは、基地局又は他のユーザデバイスにデータを送信することができる。
【０００４】
無線端末がインターネットに接続することを可能にする無線ネットワークでは、モバイルＩＰ（ＭＩＰ）は、インターネットとの接続を維持しながら無線端末の移動を容易にするためによく利用される一般的なプロトコルである。無線端末は、ＭＩＰを使用すると、これらの無線端末に関連づけられたインターネットプロトコル（ＩＰ）アドレスを変更せずに、インターネットとの接続点（point of attachment）を変更することができる。従って、モバイルデバイスは、インターネットへの接続点の変更を強制されることなく、異なるＩＰアドレスに関連づけられたいくつかの異なるローカルエリアネットワーク（ＬＡＮ）間で移行することができる。
【０００５】
さらに、いくつかのシステムでは、モバイルＩＰは、無線端末が異なるアクセスポイントにおいて複数のリンクに関連づけられることを可能にするために利用されることができる。より詳しくは、モバイルＩＰの利用を介して複数のトンネルの作成が可能であり、（例えば、期待されるスループット、測定された信号対雑音比又は他の適切な要因に基づいて）これらのトンネルの各々を介して特定のトラフィックが導かれる（directed）ことができる。
【発明の概要】
【０００６】
以下は、開示される主題のいくつかの態様の基本的理解を提供するために簡単な概要を示す。この概要は、広範な概観ではなく、このような主題の主要な／決定的な要素を特定することを意図するものでもなく、又はこのような主題の範囲を線引きすることを意図するものでもない。これの唯一の目的は、後述される詳細な説明の前置きとして、いくつかの概念を簡単な形式で示すことである。
【０００７】
簡潔に述べると、以下により詳細に開示される主題は、アクセス端末に関して第２のネットワークモジュールの「役目を引き継ぐ」第１のネットワークモジュールに関する。より詳細には、無線端末は、アクセス端末の地域モビリティエージェントとして機能する第１のフォーリンエージェントに関連づけられることができる。このようなフォーリンエージェントは、アクセスルータ内に常駐することができ、及び／又は他のネットワークエンティティ（entity）であることができる。無線端末において認識される信号強度が変化すると、無線端末は、第２のネットワークモジュールがこの無線端末に関する地域モビリティエージェントとして機能することを要求することができる。無線端末は、さらに、無線端末がアクセスルータに関してリンクを要求している１以上のアクセスルータを識別することができる。モビリティエージェントは、この要求を受信し、第２のネットワークモジュールとのトンネルを作成することができる。次に、第２のネットワークモジュールは、メッセージ（追加メッセージ（add message））を作成し、このメッセージを、識別された無線端末に送信することができる。この追加メッセージは、第２のネットワークモジュールが無線端末に関して地域モビリティエージェントとして働いていることを示し、この追加メッセージの受信者が無線端末に向けられたトラフィックを第２のネットワークモジュールから受信することになることをさらに示す。さらに、この追加メッセージは、このメッセージの受信者がこれまで無線端末に関して地域モビリティエージェントとして機能していたネットワークモジュールに関連づけられたトンネルを無効にすることを可能にする。
【０００８】
関連する態様には、第１のネットワークモジュールにおいて行われる方法がある。この方法は、第１のネットワークモジュールが無線端末に関してモビリティエージェントとして機能するという指示を無線端末から受信することと、第１のネットワークモジュールが無線端末に関してモビリティエージェントとして機能することを第２のネットワークモジュールに通知することと、を備えることができる。
【０００９】
他の態様によれば、通信装置は、第１のモビリティエージェントが無線端末に関して主モビリティエージェント（primary mobility agent）として機能するという指示を受信するための命令を備えるメモリを含むことができる。これらの命令は、これまで無線端末に関して主モビリティエージェントとして機能していた第２のモビリティエージェントに、これからは第１のモビリティエージェントが主モビリティエージェントとして機能することになることを通知することをさらに含むことができる。この通信装置は、これらの命令を実行するように構成されたプロセッサをさらに含むことができる。
【００１０】
他の態様によれば、通信装置は、第１のネットワークモジュールが無線端末に関して地域モビリティエージェントとして機能するという指示を、無線端末から受信するための手段を備えることができる。この通信装置は、第１のネットワークモジュールが無線端末に関して地域モビリティエージェントとして機能することを第２のネットワークモジュールに通知するための手段をさらに含むことができる。
【００１１】
他の態様によれば、コンピュータ読取可能媒体は、コンピュータ実行可能命令を備えることができる。これらの命令は、第１のモビリティエージェントが無線端末に関して主モビリティエージェントとして機能するという指示を受信することを含むことができる。これらの命令は、これまで無線端末に関して主モビリティエージェントとして機能していた第２のモビリティエージェントに、これからは第１のモビリティエージェントが主モビリティエージェントとして機能することになることを通知することをさらに含むことができる。
【００１２】
さらなる態様によれば、プロセッサは、第１のアクセスルータが無線端末に関して地域モビリティエージェントとして機能することになることを決定するための命令と、これまで地域モビリティエージェントとして機能していた第２のアクセスルータへ、第１のアクセスルータが地域モビリティエージェントとして機能することになることを通知するための命令とを実行するように構成されることができる。
【００１３】
他の態様によれば、無線端末において行われる方法が存在する。この方法は、地域モビリティエージェントとして機能するアクセスルータを識別することと、無線端末に関連づけられたモビリティエージェントにアクセスルータのアイデンティティを示すこととを備えることができる。
【００１４】
さらなる態様によれば、無線通信装置が存在する。この無線通信装置は、メモリ及びプロセッサを含むことができる。このメモリは、この装置に関して地域モビリティエージェントとして望ましく機能するアクセスルータを決定するための命令と、物理リンクが要求される１以上の他のアクセスルータを決定するための命令とを備えることができる。これらの命令は、アクセスルータのアイデンティティ及び１以上の他のアクセスルータのアイデンティティを、モビリティエージェントに送信することをさらに含むことができる。このプロセッサは、メモリ内の命令を実行するように構成されることができる。
【００１５】
他の態様によれば、コンピュータ読取可能媒体は、無線端末に関して地域モビリティエージェントとして望ましく機能するアクセスルータを、無線端末において識別するためのコンピュータ実行可能命令と、無線端末に関して地域モビリティエージェントとして望ましく機能するアクセスルータのアイデンティティを、モビリティエージェントに通知するためのコンピュータ実行可能命令とを備える。
【００１６】
他の態様によれば、無線通信装置は、アクセス端末が地域モビリティエージェントとして機能することを決定するための手段と、アクセスルータが地域モビリティエージェントとして機能することをモビリティエージェントに通知するための手段とを備えることができる。
【００１７】
さらに他の態様によれば、プロセッサは、無線端末に関して地域モビリティエージェントとして機能するアクセスルータを識別するための命令と、無線端末に関連づけられたモビリティエージェントにアクセスルータのアイデンティティを示すための命令とを実行するように構成されることができる。
【００１８】
上記及び関連する目的を達成するために、本明細書では、以下の説明と添付の図面とに関連して、いくつかの例示的な態様が説明される。しかしながら、これらの態様は、開示される主題の原理が使用されることができる種々の方法のほんの一部を記載しているにすぎず、特許請求された事項は、このような態様の全てとこれらの同等物とを含むように意図されている。他の利点と新規な特徴は、図面とともに考察される以下の詳細な説明から明らかになる。
【図面の簡単な説明】
【００１９】
【図１】追加メッセージが生成されて伝送される無線ネットワークのハイレベルブロック図の一例である。
【図２】追加メッセージが生成されて伝送される無線ネットワークのブロック図の一例である。
【図３】アクセスルータが地域モビリティエージェントとして機能する無線ネットワークのブロック図の一例である。
【図４】
【図５】追加メッセージの作成を容易にする装置の一例である。
【図６】１以上のアクセスルータにトラフィックを選択的に広めるための手順の一例を示す典型的な流れ図である。
【図７】無線端末に関して主モビリティエージェントとして機能するようにモビリティエージェントを構成するための手順の一例を示す典型的な流れ図である。
【図８】どのアクセスルータが無線端末に関して地域モビリティエージェントとして機能するかを示すための手順の一例を示す典型的な流れ図である。
【図９】追加メッセージの作成及び伝送を示す流れ図の一例である。
【図１０】第２のネットワークモジュールが無線端末に関して地域モビリティエージェントとして機能することになることを第１のネットワークモジュールに通知することを容易にするシステムの一例である。
【図１１】アクセスルータが無線端末に関して地域モビリティエージェントとして機能することをモビリティエージェントに通知することを容易にするシステムの一例である。
【図１２】所望に地域モビリティエージェントとして機能するアクセスルータをモビリティエージェントに通知することに関連して使用されることができるシステムの一例の説明図である。
【図１３】追加メッセージを生成することに関連して使用されることができるシステムの一例の説明図である。
【発明を実施するための形態】
【００２０】
次に、開示される主題が、図面を参照しながら説明され、同様の参照符号は、全図面を通して同様の要素を指すために使用されている。以下の記載では、説明目的で、開示される主題の充分な理解を提供するために、複数の詳細な説明が記載される。しかしながら、このような主題がこれらの特定の詳細事項なしで実施されることができることは、明らかである。他の例では、開示される主題の説明を容易にするために、周知の構造及びデバイスがブロック図の形式で示される。
【００２１】
さらに、本明細書では、アクセス端末に関連して種々の実施形態が説明される。アクセス端末は、システム、加入者ユニット、加入者局、移動局、ユーザ装置、モバイルデバイス、遠隔局、遠隔端末、ユーザ端末、端末、ユーザエージェント、又はユーザデバイスとも称されることができる。例えば、アクセス端末は、セルラ電話機、コードレス電話機、セッション開始プロトコル（ＳＩＰ）電話機、無線ローカルループ（ＷＬＬ）局、ＰＤＡ、無線接続機能を有するハンドヘルドデバイス、モバイルデバイス内のプロセッサ、又は無線モデムに接続される他の処理デバイスであることができる。
【００２２】
さらに、開示される主題の態様は、本明細書で説明される種々の態様を実現するようにコンピュータを制御するソフトウェア、ファームウェア、ハードウェア又はこれらの任意の組合せを生成するために、標準的なプログラミング及び／又はエンジニアリング技術を使用して、方法、装置又は製造品として実現されることができる。本明細書で使用される用語「製造品」は、任意のコンピュータ読取可能デバイス、キャリア又は媒体からアクセス可能なコンピュータプログラムを包含するように意図されている。例えば、コンピュータ読取可能媒体は、以下に限定されないが、磁気記憶デバイス（例えば、ハードディスク、フロッピー（登録商標）ディスク、磁気ストリップ等）、光ディスク（例えば、コンパクトディスク（ＣＤ）、デジタル多用途ディスク（ＤＶＤ）等）、スマートカード、及びフラッシュメモリデバイス（例えば、カード、スティック、キードライブ等）を含むことができる。また、音声メールを送受信する際に、或いはセルラネットワーク等のネットワークにアクセスする際に使用されるデータ等のコンピュータ読取可能電子データを搬送するために搬送波が使用されうることは理解されるべきである。当然ながら、本明細書の記載の範囲又は精神から逸脱することなく、この構成に多くの変形がなされてもよいことは認識することができる。
【００２３】
次に、図面を参照すると、図１は、開示される主題の１以上の態様を例示するために使用されることができるネットワークアーキテクチャ１００を示す。アーキテクチャ１００は、第１のモビリティエージェント１０２及び第２のモビリティエージェント１０４を含み、これらのモビリティエージェント１０２及び１０４は、インターネット１０８から受信される無線端末１０６へのパケットのルーティング（routing）に関する情報を保持する無線端末１０６のホームネットワーク又はフォーリンネットワーク上のルータであることができる。いくつかの態様によれば、モビリティエージェントは、ホームエージェント（例えば、モバイルＩＰｖ４ホームエージェント、モバイルＩＰｖ６ホームエージェント等）、地域フォーリンエージェント（regional foreign agent）又は地域ホームエージェント（regional home agent）、或いは他のタイプのモビリティエージェントであることができる。一例のアーキテクチャ１００では、モビリティエージェント１０２及び１０４は、第１のモビリティエージェント１０２が無線端末１０６に現在サービス提供しているのに対して、第２のモビリティエージェント１０４が無線端末１０６のスタンバイモビリティエージェント（standby mobility agent）として機能するように、冗長目的で無線端末１０６に関連づけられることができる。さらに、モビリティエージェント１０２は、地域モビリティエージェント（regional mobility agent）、フォーリンエージェント及び／又は他の適切なネットワークモジュールであってもよい。
【００２４】
アーキテクチャ１００は、アクセスルータ１１０をさらに含み、アクセスルータ１１０は、無線端末１０６へデータを中継し、また無線端末１０６からデータを受信することができる。さらに、アクセスルータ１１０は、無線端末１０６のための無線（over-the-air：ＯＴＡ）接続点を提供する。
【００２５】
本明細書で説明されるいくつかの態様によれば、第２のモビリティエージェント１０４は、「追加（add）」メッセージを生成して、このようなメッセージをアクセスルータ１１０に提供することができる。この追加メッセージは、第２のモビリティエージェント１０４がこれからはアクセス端末１０６に関して主モビリティエージェント（primary mobility agent）１０４になること、及びアクセスルータ１１０がモビリティエージェント１０４からデータを受信することになることをアクセスルータ１１０に通知する。このような追加メッセージは、例えばモバイルＩＰに一致することができる。また、第２のモビリティエージェント１０４は、第２のモビリティエージェント１０４が無線端末に関して主モビリティエージェントになることを、第１のモビリティエージェント１０２に通知することができる。さらに、第１のモビリティエージェント１０２は、第１のモビリティエージェント１０２とアクセスルータ１１０との間のトンネルが無効になったことをアクセスルータ１１０に通知することができる。代替として、第１のモビリティエージェント１０２とアクセスルータ１１０との間のトンネルが無効になったことを、アクセスルータ１１０が第１のモビリティエージェント１０２に通知してもよい。
【００２６】
いくつかの態様によれば、アクセスルータ１１０は、アクセス端末１０６とホームエージェント１０２、１０４との間のシグナリング（signaling）に関与しない。このような態様では、第２のホームエージェント１０４は、「追加」メッセージをアクセス端末１０６に直接提供し、第１のホームエージェント１０２は、第１のホームエージェント１０２とアクセス端末１０２との間のトンネルが無効になったことをアクセス端末１０２に通知することができる。
【００２７】
次に、図２を参照すると、追加メッセージの他の利用を示すために提供される一例のネットワークアーキテクチャ２００が示されている。アーキテクチャ２００は、無線端末２０６のためにインターネット２０４との接続点として機能することができるモビリティエージェント２０２を含む。モビリティエージェント２０２は、第１のアクセスルータ２０６及び／又は第２のアクセスルータ２０８にデータを提供することができる。例えば、無線端末２０６は、モバイルＩＰの利用によって第１のアクセスルータ２０８とのリンク及び第２のアクセスルータ２１０とのリンクを同時に有することができる。一例では、無線端末２０６は、モビリティエージェント２０２が第１のアクセスルータ２０８を経由して無線端末２０６に向けられた（intended）データを提供するように、第１のアクセスルータ２０８とのリンクだけを有してもよい。従って、モビリティエージェント２０２とアクセスルータ２０８との間にはデータトラフィックのためのトンネルが存在する。
【００２８】
無線端末２０６が特定の領域を地理的に行き来する場合、第２のアクセスルータ２１０に関連づけられた無線端末２０６において認識される信号強度は、無線端末２０６と第２のアクセスルータ２１０との間のリンクに値するのに充分であることがある。より詳細には、無線端末２０６は、所望の気付アドレス（ＣｏＡ：care of address）が第１のアクセスルータ２０８に関連づけられ、代替のＣｏＡが第２のアクセスルータ２１０に関連づけられていることを示すメッセージを、モバイルＩＰによって第１のアクセスルータ２０８に提供することができる。そして、このような情報は、アクセスルータ２０８によって中継されてモビリティエージェント２０２に送られ、モビリティエージェント２０２がこの情報の受信を確認することができる。次に、モビリティエージェント２０２は、追加メッセージを（コマンドの形式で）第２のアクセスルータ２１０に提供することができ、この追加メッセージは、無線端末２０６に関連づけられたホームアドレス、第１のアクセスルータ２０８のアイデンティティ（identity）の指示、及びモビリティエージェントのアイデンティティを含む。追加メッセージの内容は、状況（context）に応じた情報を多かれ少なかれ含むことができる。そして、第２のアクセスルータ２１０は、追加メッセージを確認することができ、モビリティエージェント２０２は、モビリティエージェント２０２と第２のアクセスルータ２１０との間にトンネルを作成することができる（また、モビリティエージェント２０２と第１のアクセスルータ２０８との間のトンネルを更新することができる）。いくつかの態様によれば、無線端末２０６は、第１のアクセスルータ２０８及び／又は第２のアクセスルータ２１０を介して信号をルーティングすることによって、メッセージをモビリティエージェント２０２に提供する。このような態様では、アクセスルータ２０８、２１０は、無線端末２０６とモビリティエージェント２０２との間のシグナリングには関与しない（或いはシグナリングを処理しない）。
【００２９】
次に、図３を参照すると、一例のネットワークアーキテクチャ３００が示されている。アーキテクチャ３００は、無線端末３０６に関してインターネット３０４との接続点として機能するモビリティエージェント３０２を含む。モビリティエージェント３０２は、１以上のアクセスルータ３０８〜３１４に通信可能に接続され、その結果、無線端末３０６に向けられたデータがモビリティエージェント３０２からアクセスルータ３０８〜３１４のうちの１以上のアクセスルータに導かれ、それから無線端末３０６に導かれる。一例に従えば、少なくともアクセスルータ３０８及び３１０は、モビリティモジュール３１６及び３１８に夫々結合されることができ、モビリティモジュール３１６及び３１８は、アクセスルータ３０８及び３１０が地域モビリティエージェントとして機能することを可能にする。言い換えれば、無線端末３０６は、複数のアクセスルータとのリンクを同時に有することができ、地域モビリティエージェントとして機能するアクセスルータは、モビリティエージェント３０２からトラフィックを受信し、その後、無線端末３０６への伝送のために、無線端末３０６に関連づけられた複数のアクセスルータの間でこのようなトラフィックを選択的に広める（disseminate）ことができる。また、アクセスルータは、複数のアップリンク上で無線端末３０６からデータを受信し、このようなデータを、地域モビリティエージェントとして機能するアクセスルータに導くことができ、そしてこのアクセスルータは、トラフィックを統合してモビリティエージェント３０２に提供することができる。
【００３０】
詳細な例では、アクセスルータ３０８は、当初は、無線端末３０６に関して地域モビリティエージェントとして機能することができる。無線端末３０６は、アクセスルータ３０８、アクセスルータ３１０、アクセスルータ３１２及びアクセスルータ３１４とのリンクを有することができる。無線端末３０６に向けられたトラフィックが最初にアクセスルータ３０８に提供されるように、モビリティエージェント３０２とアクセスルータ３０８との間にはトンネルが存在することができる。そしてアクセスルータ３０８は、無線端末３０６とのリンクを有するアクセスルータ３０８及び他のアクセスルータ３１０〜３１４間でトラフィックを選択的に広めることができる。アーキテクチャ３００では、無線端末３０６は、どのアクセスルータが地域モビリティエージェントとして機能するかを、任意の適切な測定基準（metric）又は条件に基づいて選択することができる。一例によれば、無線端末３０６は、地域モビリティエージェントとして機能するために、最も高い信号対雑音比（ＳＮＲ）に関連するアクセスルータを選択することができる。
【００３１】
上述したように、無線端末３０６は、アクセスルータ３０８が地域モビリティエージェントとして機能することを要求することができる。無線端末３０６が地理的領域を移動する（transitions）とき、及び／又は信号強度が変化するとき、無線端末３０６は、アクセスルータ３１０が無線端末３０６に関して地域モビリティエージェントとして機能するように要求することができる。さらに、無線端末３０６は、この要求の中でどのアクセスルータが無線端末にサービス提供すべきであるかを指示すことができる。例えば、無線端末３０６は、アクセスルータ３０８〜３１４とのリンクを所望していることを示すことができる。このような情報は、モバイルＩＰによってアクセスルータ３１０（又は他の適切なアクセスルータ）に中継されることが可能であり、このアクセスルータ３１０は、モビリティエージェント３０２にこの要求を通知することができる。そしてモビリティエージェント３０２は、（モバイルＩＰメッセージングによって）アクセスルータ３０８からアクセスルータ３１０へトンネルを変更することができる。次に、アクセスルータ３１０は、追加メッセージを作成し、このメッセージをアクセスルータ３０８、アクセスルータ３１２及びアクセスルータ３１４に提供することができる。このようにして、アクセスルータ３０８は、アクセスルータ３０８がもはや地域モビリティエージェントとして機能しなくなることを暗黙的に通知されることになる。さらに、アクセスルータ３１２及び３１４は、（アクセスルータ３０８ではなく）アクセスルータ３１０から中継されることになる無線端末３０６に向けられたトラフィックに対応する準備をすることとなる。上記記載は、地域モビリティエージェントとして機能するアクセスルータに関するが、地域モビリティエージェントとして機能する他のネットワークモジュールが同様の仕方で追加メッセージを使用できることは理解される。
【００３２】
次に、図４を参照すると、一例の無線通信システム４００が示されている。システム４００は、複数のセクタ４０２〜４１２を含み、このようなセクタ４０２〜４１２内では無線端末が無線サービスを使用することができる。セクタ４０２〜４１２は、事実上六角形であって実質的に同様なサイズであるものとして示されているが、セクタ４０２〜４１２のサイズ及び形状は、建物のような物理的障害物の地理的領域、数、サイズ及び形状、並びにいくつかの他の要因に応じて変化しうることは理解される。アクセスポイント（基地局、アクセスルータ等）４１４〜４２４は、セクタ４０２〜４１２に関連づけられており、アクセスポイント４１４〜４２４は、セクタ４０２〜４１２内でユーザ装置にサービスを提供するために利用される。さらに、アクセスポイント４１４〜４２４の１以上は、システム４００内で他のアクセスポイント及び無線端末に関して地域モビリティエージェントとして機能することができる。例えば、システム４００では、無線端末４２６は、アクセスポイント４２２及びアクセスポイント４２４との物理リンクを有することができる。しかしながら、無線端末４２６がいかなる特定の時点においても３以上のアクセスポイントとの物理リンクを有しうることは、理解されるべきである。この例について説明を続けると、アクセスポイント４２２は、無線端末４２６に関して地域モビリティエージェントとして機能することができるので、無線端末４２６に向けられたトラフィックをアクセスポイント４２４に中継することができる。そしてアクセスポイント４２４は、このようなトラフィックを無線端末４２６に送信することができる。
【００３３】
無線端末４２６は、地理的に移動されるので、無線端末４２６は、アクセスポイント４２２から受信された信号と比較してより強い強度の信号をアクセスポイント４２４から受信することがある。従って、無線端末４２６は、アクセスポイント４２４が地域モビリティエージェントとして機能するべきであること、及び無線端末４２６がアクセスポイント４２２とのリンクをさらに要求していることを示すメッセージを作成することができる。このような情報は、モバイルＩＰによってモビリティエージェント（図示せず）に送信されることができる。そしてこのモビリティエージェントは、アクセスポイント４２２とのトンネルを無効にしてアクセスポイント４２４（新しい地域モビリティエージェント）とのトンネルを作成することができる。次に、アクセスポイント４２４は、追加メッセージを作成して、この追加メッセージをアクセスポイント４２２に送信し、その結果、アクセスポイント４２２は、無線端末への伝送のためのアクセスポイント４２４からトラフィックを受信する準備をすることができる。上述したように、追加メッセージは、モバイルＩＰによってコマンドの形式で提供されることができる。
【００３４】
次に、図５を参照すると、無線通信環境内での使用のための通信装置５００が示されている。装置５００は、モビリティエージェント、フォーリンエージェント、地域モビリティエージェント、アクセスルータ、無線端末及び／又は同様のものであってもよく、これらを含むことができる。装置５００は、メモリ５０２を備え、このメモリ５０２は、アクセスルータが特定の地域モビリティエージェント（このモビリティエージェントは、アクセスルータ内、又はフォーリンエージェント、モビリティエージェント又は他の適切なネットワークモジュール内にあってもよい。）から無線端末のためのトラフィックを受信することになることを、１以上のアクセスルータに通知するための追加メッセージの使用に関する命令を保持している。
【００３５】
一例では、装置５００は、サーバでありうるモビリティエージェント又はフォーリンエージェントであってもよく、サーバの集合であってもよく、サーバ内にあってもよく、及び／又はサーバの集合の間で分散配置されてもよい。このような場合、メモリ５０２は、無線端末が特定のアクセスルータとの物理リンクを要求しているという指示を受信するための命令を含むことができる。このようなリンクは、無線端末に関して以前から存在する他のリンクに加えて存在することができる。メモリ５０２は、要求中に示されたアクセスルータに、追加メッセージを送信するための命令をさらに含むことができ、この追加メッセージは、モビリティエージェントが無線端末に向けられたトラフィックをアクセスルータに提供することになることをアクセスルータに通知する。装置５００は、メモリ５０２内の命令を実行するように構成されたプロセッサ５０４をさらに備えている。
【００３６】
他の例では、装置５００は、無線端末に関して地域モビリティエージェントとして機能しうるアクセスルータであってもよい。この場合、メモリ５０２は、アクセスルータが無線端末に関して地域モビリティエージェントとして機能するという要求を無線端末から受信するための命令を含むことができる。メモリ５０２は、アクセス端末が物理リンクを要求している他のアクセスルータを受信するための命令をさらに保持することができる。さらに、メモリ５０２は、追加メッセージを作成して、無線端末によって識別された他のアクセスルータにこの追加メッセージを送信するための命令を含むことができる。このようにして、他のアクセスルータは、地域モビリティエージェントとしてこれまで機能していたアクセスルータ（又は他のネットワークモジュール）に関連づけられたトンネルを削除して、これから地域モビリティエージェントとして機能しているアクセスルータとのトンネルを作成することができる。プロセッサ５０４は、これらの命令を実行するように構成されることができる。
【００３７】
さらに他の例では、装置は、無線端末であってもよい。メモリ５０２は、どのアクセスルータが無線端末に関して地域モビリティエージェントとして望ましく機能するかを識別するための命令を含むことができる。メモリ５０２は、無線端末が物理リンクを要求する１以上のアクセスルータを識別するための命令をさらに含むことができる。さらに、メモリ５０２は、無線端末に関連づけられたアクセスルータ又はモビリティエージェントへ、識別されたアクセスルータを（モバイルＩＰによって）送信するための命令を含むことができる。ここでも、プロセッサ５０４は、メモリ５０２に記憶されたこれらの命令を実行するように構成されることができる。
【００３８】
図６〜８を参照すると、追加メッセージの生成に関連する手順が示されている。これらの手順は、説明を簡単にするために一連の動作として図示されて説明されているが、いくつかの動作は、異なる順序で起こってもよく、及び／又は本明細書に図示され説明される動作とは他の動作と同時に起こってもよいので、これらの手順が動作の順序によって限定されないことは、理解されて認識されるべきである。例えば、当業者は、手順が代替的に状態図といった一連の相互関係のある状態又は事象として示されることができることを理解して認識するであろう。さらに、１以上の実施の形態に従って手順を実行するために、図示された全ての動作が必ずしも使用されるとは限らない。
【００３９】
図６だけを参照すると、無線端末への伝送のためにネットワークモジュールにデータを選択的に広めるための手順６００が示されている。手順６００は、６０２から始まり、６０４において、第１のネットワークモジュールが無線端末に関してモビリティエージェントとして機能するという指示が受信される。ネットワークモジュールは、モビリティエージェント、フォーリンエージェント、地域モビリティエージェントとして機能する能力を有するアクセスルータ、及び／又は同様のものであることができる。６０６において、第２のネットワークモジュールは、第１のネットワークモジュールがモビリティエージェントとして機能することを通知される。例えば、第２のネットワークモジュールは、無線端末との物理リンクを有するアクセスルータであり、このアクセスルータが第１のネットワークモジュールとのリンクを構成することができる。他の例では、第２のネットワークモジュールは、モビリティエージェントであり、メッセージは、第１のネットワークモジュールがモビリティエージェントの「役目を引き継ぐ」ことを示す。
【００４０】
６０８において、データは、無線端末への伝送のために１以上のネットワークモジュールに選択的に広められる。例えば、第１のネットワークモジュールがアクセスルータである場合、このアクセスルータは、無線端末への伝送のために無線端末に向けられたトラフィックを１以上の異なるアクセスルータに広めることができる。第１のネットワークモジュールがフォーリンエージェントである場合、このフォーリンエージェントは、無線端末への伝送のためにフォーリンエージェントに関連する１以上のアクセスルータにトラフィックのサブセットを中継することができる。手順６００は、６１０において終了する。
【００４１】
次に、図７を参照すると、主モビリティエージェントとして機能するようにモビリティエージェントを構成するための手順７００が示されている。手順７００は、７０２から始まり、７０４において、第１のモビリティエージェントが無線端末に関して主モビリティエージェントとして機能すると決定される。例えば、冗長性のために１つのモビリティエージェントが主モビリティエージェントとして機能することができるのに対して、他のモビリティエージェントは、スタンバイモビリティエージェントである。この決定は、無線端末からの情報の受信時に行われることができ、主モビリティエージェントは、明確に識別される。
【００４２】
７０６において、第２のモビリティエージェント（これまで主モビリティエージェントとして機能していた）は、これからは第１のモビリティエージェントが主モビリティエージェントとして機能することになることを通知される。これは、例えば、追加メッセージの受信時に第２のモビリティエージェントにおいて暗黙的に決定されることができる。７０８において、第１のモビリティエージェントは、アクセス端末に関して主モビリティエージェントとして機能し、７１０において手順７００が終了する。
【００４３】
次に、図８を参照すると、どのアクセスルータが無線端末に関して地域モビリティエージェントとして機能するかを示すための手順８００が示されている。一例によれば、無線端末は、手順８００を実行するように構成されることができる。手順８００は、８０２から始まり、８０４において、１以上のアクセスルータに関して無線端末によって測定が実行される。例えば、複数のアクセスルータに関して無線端末によって認識された信号強度が測定されることができる。
【００４４】
８０６において、無線端末は、どのアクセスルータが地域モビリティエージェントとして機能するかを識別することができる。このような識別は、実行された測定の機能でありうる。８０８において、地域モビリティエージェントとして機能するアクセスルータのアイデンティティの指示は、無線端末に関連づけられたモビリティエージェントに送信される。従って、モビリティエージェントは、モビリティエージェント及び識別されたアクセスルータ間にトンネルを作成することができる。そして、手順８００は、８１０において終了する。
【００４５】
次に、図９を参照すると、無線端末（ＷＴ）９０２に向けられたトラフィックのためのトンネルを作成することに関連して、無線端末９０２と第１のモビリティモジュール（ＭＭ１）９０４と第２のモビリティモジュール（ＭＭ２）９０６とモビリティエージェント（ＨＡ）９０８との間の相互動作を示す流れ図の一例が示されている。一例には、モビリティモジュール９０４及び９０６は、フォーリンエージェント又はアクセスルータであることができ、及び／又はアクセスルータ内に常駐することができる。さらに、モビリティエージェント９０８は、アクセスルータ内に常駐することができる。９１０において、無線端末９０２に向けられたトラフィックがモビリティモジュールに伝送されうるように、モビリティエージェント９０８と第１のモビリティモジュール９０４との間にトンネルが存在する。９１２において、データが無線で無線端末９０２に提供されうるように第１のモビリティモジュール９０４と無線端末９０２との間の物理リンクが確立されることができる。
【００４６】
９１４において、無線端末９０２は、モバイルＩＰ又は他のシグナリング（例えば、リンク層モビリティ管理シグナリング（link layer mobility management signaling））によって、無線端末９０２が第１のモビリティモジュール９０４と第２のモビリティモジュール９０６との間のリンク（第１のモビリティモジュール９０４は、主モビリティモジュールである。）を要求していることを、第１のモビリティモジュール９０４に指示すことができる。９１６では、第１のモビリティモジュールは、このような情報を（モバイルＩＰによって）モビリティエージェント９０８に中継し、９１８では、モビリティエージェント９０８は、第１のモビリティモジュール９０４に情報の受信を確認する。９２０において、第１のモビリティモジュール９０４は、モビリティエージェント９０８が情報を（モバイルＩＰメッセージの利用を介して）受信したことを無線端末９０２に示す。
【００４７】
９２２において、モビリティエージェント９０８は、追加メッセージを作成してこのメッセージを第２のモビリティモジュール９０６に提供し、無線端末９０２への伝送のために第２のモビリティモジュール９０６がトラフィックを受信することになることを第２のモビリティモジュール９０６に示す。この追加メッセージは、第１のモビリティモジュールが無線端末９０２に関して地域モビリティエージェントとして機能することができることをさらに示すことができる。９２４において、第２のモビリティモジュール９０６は、モビリティエージェント９０８に追加メッセージの受信を確認する。９２６及び９２８では、モビリティエージェント９０８と第１及び第２のモビリティモジュール９０４、９０６の各々との間にデータ用のトンネルが作成される。これらのトンネルは、無線端末９０２に向けられたトラフィックの中継のために使用される。
【００４８】
次に、図１０及び１１を併せて参照すると、システム１０００及び１１００が示されており、これらのシステムは、これらが無線端末に向けられたトラフィックを受信することになることをフォーリンエージェント及び／又はアクセスルータに通知することに関連する。システム１０００及び１１００が機能ブロックを含んでいるものとして表されており、このようなブロックがプロセッサ、ソフトウェア又はこれらの組合せ（例えば、ファームウェア）によって実現される機能を表しうることは、認識されるべきである。
【００４９】
特に図１０を参照すると、あるモビリティエージェントが他のモビリティエージェントの役目を引き継ぐことを容易にするシステム１０００が示されている。一例では、システム１０００は、モビリティエージェント及び／又はフォーリンエージェントであることができる。システム１０００は、電気的構成要素のグループ１００２を含み、これらの構成要素は、追加メッセージを作成するために連動して動作することができる。グループ１００２は、第１のネットワークモジュールが無線端末に関して地域モビリティエージェントとして機能するという指示を無線端末から受信するための電気的構成要素１００４を含む。例えば、第１のネットワークモジュールは、アクセスルータ、フォーリンエージェント及び／又はモビリティエージェントであることができる。グループ１００２は、第１のネットワークモジュールが無線端末に関して地域モビリティエージェントとして機能することを第２のネットワークモジュールに通知するための電気的構成要素１００６をさらに含む。これは、第２のネットワークモジュールに追加メッセージを提供することによって達成されることができる。システム１０００は、構成要素１００４〜１００６の実行に関連する命令を保持することができるメモリ１００８をさらに含むことができる。或いは、グループ１００２及びこれのコンテンツは、メモリ１００８に備えられてもよい。
【００５０】
図１１を参照すると、アクセスルータが無線端末に関して地域モビリティエージェントとして機能することをモビリティエージェントに通知することを容易にするシステム１１００が示されている。一例によれば、システム１１００は、無線端末によって備えられることができる。システム１１００は、無線端末に関して地域モビリティエージェントとして機能するアクセスルータのアイデンティティをモビリティエージェントに示すために協働する電気的構成要素のグループ１１０２を含む。グループ１１０２は、アクセスルータが地域モビリティエージェントとして機能することを決定するための電気的構成要素１１０４を含む。例えば、構成要素１１０４は、アクセスルータに送信された信号、及び／又はアクセスルータから受信された信号に関して信号強度測定を実行することができる。グループ１１０２は、アクセスルータが無線端末に関して地域モビリティエージェントとして機能することを、モビリティエージェントに通知するための電気的構成要素１１０６をさらに含む。システム１１００は、メモリ１１０８を含むことができ、メモリ１１０８は、構成要素１１０４及び１１０６を実行するための命令を含むことができ、及び／又はこれらの構成要素を備えることができる。
【００５１】
図１２は、地域モビリティエージェントとして機能するアクセスルータを識別することに関連して利用され、システム１２００へのリンクに望ましく関連づけられたアクセスルータをさらに識別するために使用されることができるシステム１２００を示す。システム１２００は、受信器１２０２を備え、この受信器１２０２は、例えば、１以上の受信アンテナから信号を受信し、受信信号に典型的な動作（例えば、フィルタリング、増幅、ダウンコンバート等）を実行し、これらの調整済み信号をデジタル化してサンプルを取得する。復調器１２０４は、受信されたパイロットシンボルを復調して、チャネル推定のためにプロセッサ１２０６に提供することができる。
【００５２】
プロセッサ１２０６は、受信器構成要素１２０２によって受信された情報を分析し、及び／又は送信器１２１４による送信のための情報を生成するために設けられるプロセッサであることができる。プロセッサ１２０６は、システム１２００の１以上の部分を制御するプロセッサ、及び／又は受信器１２０２によって受信された情報を分析し、送信器による送信のための情報を生成し、システム１２００の１つ以上の部分を制御するプロセッサであることができる。システム１２００は、ハンドオフ前、ハンドオフ時及び／又はハンドオフ後のユーザ装置の性能を最適化することができる最適化構成要素１２０８を含むことができる。最適化構成要素１２０８は、プロセッサ１２０６に組み込まれていてもよい。最適化構成要素１２０８がどのアクセスルータが地域モビリティエージェントとして機能するか、及びどのアクセスルータとのリンクが要求されているかを決定することに関連して、ユーティリティベースの分析（utility based analysis）を実行する最適化コードを含みうることは、認識されるべきである。最適化コードは、推定に関連した人工知能に基づく方法、及び／又は上述の決定を行うことに関連した確率的決定及び／又は統計に基づく決定を利用することができる。
【００５３】
システム（ユーザ装置）１２００は、プロセッサ１２０６に動作可能に結合され、基地局（トランシーバモジュール）に関する信号強度情報、スケジューリング情報等の情報を記憶するメモリ１２１０をさらに備えることができ、このような情報は、どのアクセスルータがシステム１２００に関して地域モビリティエージェントとして機能するかを決定することに関連して使用されることができる。メモリ１２１０は、参照テーブル等を生成することに関連したプロトコルを格納することができ、その結果、システム１２００は、格納されたプロトコル及び／又はアルゴリズムを使用してシステム容量を増加させることができる。本明細書で説明されるデータストア（例えば、メモリ）構成要素は、揮発性メモリ又は不揮発性メモリのいずれかであってもよく、或いは揮発性メモリ及び不揮発性メモリの両方を含むことができることは、認識されるであろう。限定ではなく例示として、不揮発性メモリは、読み出し専用メモリ（ＲＯＭ）、プログラマブルＲＯＭ（ＰＲＯＭ）、電気的プログラマブルＲＯＭ（electrically programmable ROM）（ＥＰＲＯＭ）、電気的消去可能ＲＯＭ（electrically erasable ROM）（ＥＥＰＲＯＭ）又はフラッシュメモリを含むことができる。揮発性メモリは、外部キャッシュメモリとして機能するランダムアクセスメモリ（ＲＡＭ）を含むことができる。限定ではなく例示として、ＲＡＭは、シンクロナスＲＡＭ（synchronous RAM）（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンストＳＤＲＡＭ（enhanced SDRAM）（ＥＳＤＲＡＭ）、シンクリンクＤＲＡＭ（Synchlink DRAM）（ＳＬＤＲＡＭ）、及びダイレクトラムバスＲＡＭ（direct Rambus RAM）（ＤＲＲＡＭ）等の種々の形態で利用可能である。メモリ１２１０は、これらに限定されることなく、これら及び他の任意の適切なタイプのメモリを備えるように意図される。プロセッサ１２０６は、シンボル変調器１２１２及び変調された信号を送信する送信器１２１４に接続される。
【００５４】
図１３は、地域モビリティエージェントとして機能するように構成されることができるシステムを示す。システム１３００は、１以上の受信アンテナ１３０６を介して１以上のユーザデバイス１３０４から信号を受信し、複数の送信アンテナ１３０８を介して１以上のユーザデバイス１３０４に送信する受信器１３１０を有する基地局１３０２を備える。一例では、受信アンテナ１３０６及び送信アンテナ１３０８は、１セットのアンテナを使用して実現されることができる。受信器１３１０は、受信アンテナ１３０６から情報を受信することができ、受信情報を復調する復調器１３１２に動作可能に結合される。受信器１３１０は、当業者によって認識されるように、例えば、レーキ（Rake）受信器（例えば、複数のベースバンド相関器等を使用してマルチパス信号成分を個別に処理する技術）、ＭＭＳＥベースの受信器、又は割り当てられたユーザデバイスを分離するための他の適切な受信器であることができる。例えば、複数の受信器が使用されることができ（例えば、１つの受信アンテナ毎に１つの受信器）、これらの受信器は、相互に通信してユーザデータの改善された推定を提供することができる。復調されたシンボルは、図１２に関して上述したのと同様のプロセッサであり、ユーザデバイス割り当てに関連する情報、及びこれに関連する参照テーブル等を格納するメモリ１３１６に結合されているプロセッサ１３１４によって分析される。各アンテナの受信器出力は、受信器１３１０及び／又はプロセッサ１３１４によって一緒に処理されることができる。変調器１３１８は、送信アンテナ１３０８を介した送信器１３２０によるユーザデバイス１３０４への伝送のために信号を多重化することができる。
【００５５】
本明細書で説明される実施の形態がハードウェア、ソフトウェア、ファームウェア、ミドルウェア、マイクロコード、又はこれらの任意の組み合せによって実施されうることは、理解されるべきである。ハードウェアによる実現の場合、ユーザ装置内又はネットワークデバイス内の処理ユニットは、１以上の特定用途向け集積回路（ＡＳＩＣ）、デジタルシグナルプロセッサ（ＤＳＰ）、デジタル信号処理装置（ＤＳＰＤ）、プログラム可能論理回路（ＰＬＤ）、フィールドプログラマブルゲートアレイ（ＦＰＧＡ）、プロセッサ、コントローラ、マイクロコントローラ、マイクロプロセッサ、本明細書で説明される機能を実行するように設計された他の電子ユニット、又はこれらの組み合せにより実現されることができる。
【００５６】
本明細書で説明されるシステム及び／又は方法がソフトウェア、ファームウェア、ミドルウェア又はマイクロコード、プログラムコード又はコードセグメントにより実現される場合、これらは、記憶構成要素等の機械可読媒体に格納されることができる。コードセグメントは、プロシージャ、関数、サブプログラム、プログラム、ルーチン、サブルーチン、モジュール、ソフトウェアパッケージ、クラス、或いは、命令、データ構造、又はプログラムステートメントの任意の組み合せを表わすことができる。コードセグメントは、情報、データ、引数、パラメータ、又はメモリ内容を送信及び／又は受信することによって他のコードセグメント又はハードウェア回路に結合されることができる。情報、引数、パラメータ、データ等は、メモリ共有、メッセージパッシング、トークンパッシング、ネットワーク伝送等を含む任意の適切な手段を使用して受け渡され、転送され、又は伝送されることができる。
【００５７】
ソフトウェアによる実現の場合、本明細書で説明される技術は、本明細書で説明される機能を実行するモジュール（例えば、プロシージャ、関数等）によって実現されることができる。ソフトウェアコードは、メモリユニットに格納され、プロセッサによって実行されることができる。メモリユニットは、プロセッサ内で実施されてもよく、或いはプロセッサ外部で実施されてもよいが、プロセッサ外部で実施される場合、メモリユニットは、種々の手段によってプロセッサに通信可能に結合されることができる。
【００５８】
上記の記載は、開示された主題の例を含む。当然ながら、開示の主題を説明するために、構成要素又は方法の考えられる全ての組み合せを記述することは、不可能であるが、当業者は、多くの他の組み合せ及び変更が可能であることを認識することができる。従って、本主題は、添付の特許請求の範囲の精神及び範囲に含まれる全てのこのような変更、修正及び変形を包含するように意図される。さらに、用語「含む（includes）」が詳細な説明又は特許請求の範囲のいずれかで使用されている限りにおいて、この用語は、「具備する（comprising）」が請求項においてトランジショナルワード（transitional word）として使用されるときに解釈されるように、用語「具備する（comprising）」と同様な方法で包括的であるように意図される。
【図１】
2010517378.tif 000003
【図２】
2010517378.tif 000004
【図３】
2010517378.tif 000005
【図４】
2010517378.tif 000006
【図５】
2010517378.tif 000007
【図６】
2010517378.tif 000008
【図７】
2010517378.tif 000009
【図８】
2010517378.tif 000010
【図９】
2010517378.tif 000011
【図１０】
2010517378.tif 000012
【図１１】
2010517378.tif 000013
【図１２】
2010517378.tif 000014
【図１３】
2010517378.tif 000015
【国際調査報告】
2010517378.tif 000016
2010517378.tif 000017